(57)【要約】【課題】メダルの射出方向を変更する際の操作性を向上させることにある。【解決手段】本発明に係るメダルゲーム装置１は、メダルを貯留する貯留部４０と、前記貯留部４０に貯留されたメダルを搬送する搬送部５０と、遊戯者が力を加えることによって動作する操作部６１と、前記操作部６１の動作に連動して前記搬送部５０に対して相対的に動作し、前記搬送部５０により搬送されたメダルの射出方向を変更する射出部６２と、を備える。【選択図】図２
2014151134.tif 000002
【特許請求の範囲】
【請求項１】
メダルを貯留する貯留部と、
前記貯留部に貯留されたメダルを搬送する搬送部と、
遊戯者が力を加えることによって動作する操作部と、
前記操作部の動作に連動して前記搬送部に対して相対的に動作し、前記搬送部により搬送されたメダルの射出方向を変更する射出部と、
を備えたことを特徴とするメダルゲーム装置。
【請求項２】
請求項１に記載のメダルゲーム装置であって、
前記操作部と前記射出部との間に介在し、遊戯者によって前記操作部に加えられた力を前記射出部に伝える伝達部をさらに備え、
前記射出部は、前記伝達部が伝達した力によって傾動し、メダルの射出方向を、前記搬送部から搬送されたメダルの搬送方向から、前記搬送方向と交差する交差方向に変更する、
ことを特徴とするメダルゲーム装置。
【請求項３】
請求項１又は２に記載のメダルゲーム装置であって、
前記射出部は、
中心軸と、前記中心軸回りに回転する回転ローラーと、前記回転ローラーを回転させるモーターと、を備え、
前記回転ローラーの外周面をメダル面に圧接させた状態で前記モーターの駆動によって前記回転ローラーを回転させて前記メダルを射出させるものであり、
前記操作部の動作に連動して前記中心軸を前記搬送部に対して傾動させることにより、メダルの射出方向を変更する、
ことを特徴とするメダルゲーム装置。
【請求項４】
請求項３に記載のメダルゲーム装置であって、
前記搬送部は、メダルを移動させる空間を内部に形成するための搬送面をメダル面に平行に設け、前記搬送面を貫通する孔部を有し、
前記射出部は、一対の前記回転ローラーをそれぞれの外周面で前記搬送部の前記孔部を両側から挟み込むように配設した、
ことを特徴とするメダルゲーム装置。
【発明の詳細な説明】
【技術分野】
【０００１】
本発明は、メダルゲーム装置に関する。
【背景技術】
【０００２】
遊戯者が操作する操作部と、メダルを貯留する貯留部と、モーターの駆動により回転ローラーを回転させてメダルを射出する射出部と、前記貯留部に貯留されたメダルを前記射出部へ搬送する搬送部と、を備えたメダルゲーム装置が知られている（例えば、特許文献１）。
【先行技術文献】
【特許文献】
【０００３】
【特許文献１】特開２００７−３０１１１１号公報
【発明の概要】
【発明が解決しようとする課題】
【０００４】
このメダルゲーム装置では、遊戯者が操作部を操作して射出部から射出されるメダルの射出方向を変更しようすると、貯留部、搬送部、射出部、及び操作部のすべてが一体となって動作するため、射出方向変更時の操作が重くなってしまう。その結果、遊戯者はメダルを射出させるタイミングを逸してしまう場合等があった。
本発明は、このような事情に鑑みてなされたものであり、その目的とするところは、メダルの射出方向を変更する際の操作性を向上させることにある。
【課題を解決するための手段】
【０００５】
上記課題を解決するための本発明の主たる発明は、
メダルを貯留する貯留部と、
前記貯留部に貯留されたメダルを搬送する搬送部と、
遊戯者が力を加えることによって動作する操作部と、
前記操作部の動作に連動して前記搬送部に対して相対的に動作し、前記搬送部により搬送されたメダルの射出方向を変更する射出部と、
を備えたことを特徴とするメダルゲーム装置である。
本発明の他の特徴については、本明細書及び添付図面の記載により明らかにする。
【発明の効果】
【０００６】
本発明によれば、メダルの射出方向を変更する際の操作性を向上させることができる。
【図面の簡単な説明】
【０００７】
【図１】メダルゲーム装置１の構成の一例を示す図である。
【図２】メダル射出機構６０を示す図である。
【図３】操作部６１の外観図である。
【図４】操作部６１を上下方向の下側から見た図である。
【図５】射出部６２の斜視図である。
【図６】射出部６２を左右方向の右側から見たときの断面図である。
【図７】射出部６２及び搬送部５０の一部を断面視した状態で示した斜視図である。
【図８】伝達部６３の斜視図である。
【図９】射出部６２が搬送レール５１に対して傾動する前の状態を示す図である。
【図１０】射出部６２が搬送レール５１に対して傾動した後の状態を示す図である。
【発明を実施するための形態】
【０００８】
本明細書及び添付図面の記載により、少なくとも以下の事項が明らかとなる。
即ち、メダルを貯留する貯留部と、
前記貯留部に貯留されたメダルを搬送する搬送部と、
遊戯者が力を加えることによって動作する操作部と、
前記操作部の動作に連動して前記搬送部に対して相対的に動作し、前記搬送部により搬送されたメダルの射出方向を変更する射出部と、
を備えたことを特徴とするメダルゲーム装置である。
このようなメダルゲーム装置によれば、従来のように貯留部、搬送部、射出部、及び操作部のすべてを一体として動作させる場合に比べて、操作部の動作に連動して搬送部に対して射出部を相対的に動作させることによって射出方向変更時の操作を軽くすることができるため、操作性を向上させることが可能となる。
【０００９】
また、かかるメダルゲーム装置であって、
前記操作部と前記射出部との間に介在し、遊戯者によって前記操作部に加えられた力を前記射出部に伝える伝達部をさらに備え、
前記射出部は、前記伝達部が伝達した力によって傾動し、メダルの射出方向を、前記搬送部から搬送されたメダルの搬送方向から、前記搬送方向と交差する交差方向に変更する、こととしてもよい。
このようなメダルゲーム装置によれば、伝達部が操作部に加えられた力を射出部に伝達することにより、操作部の動作から射出部の動作への運動変換を効率良く行うことができる。
【００１０】
また、かかるメダルゲーム装置であって、
前記射出部は、
中心軸と、前記中心軸回りに回転する回転ローラーと、前記回転ローラーを回転させるモーターと、を備え、
前記回転ローラーの外周面をメダル面に圧接させた状態で前記モーターの駆動によって前記回転ローラーを回転させて前記メダルを射出させるものであり、
前記操作部の動作に連動して前記中心軸を前記搬送部に対して傾動させることにより、メダルの射出方向を変更する、こととしてもよい。
このようなメダルゲーム装置によれば、回転ローラーの外周面をメダル面に圧接させつつメダルの射出方向を簡単に変更することができる。
【００１１】
また、かかるメダルゲーム装置であって、
前記搬送部は、メダルを移動させる空間を内部に形成するための搬送面をメダル面に平行に設け、前記搬送面を貫通する孔部を有し、
前記射出部は、一対の前記回転ローラーをそれぞれの外周面で前記搬送部の前記孔部を両側から挟み込むように配設した、こととしてもよい。
このようなメダルゲーム装置によれば、搬送面に沿って移動して孔部に差し掛かったメダルを、一対の回転ローラーで両側から確実に挟み込むことができるため、回転ローラーの回転力を効率良く利用してメダルに大きな発進力を与えることが可能となる。
【００１２】
＝＝＝実施形態＝＝＝
＜＜メダルゲーム装置１の構成＞＞
図１は、本実施形態に係るメダルゲーム装置１の構成の一例を示す図である。
【００１３】
以下の説明では、図１に示すように各方向を定義する。すなわち、重力方向を「上下方向」とし、重力に従って「上」と「下」を定義する。また、メダルゲーム装置１の正面に対向する遊戯者から見て、手前側を「前」とし、奥側を「後」とする。また、上下方向及び前後方向に垂直な方向を「左右方向」とし、遊戯者側から見たときを基準にして、「右」と「左」を定義する。
【００１４】
本実施形態のメダルゲーム装置１は、載置部１０と、押出部２０と、落下口３０と、貯留部４０と、搬送部５０、メダル射出機構６０と、チャッカー７０、抽選部８０と、音声出力部９０と、制御部（不図示）等を備えている。
【００１５】
載置部１０は、メダルを載置面上に載置するものである。本実施形態では、遊戯者の操作によって後述するメダル射出機構６０から射出されたメダルや、供給部（不図示）から供給されたメダルが載置部１０に載置される。
【００１６】
押出部２０は、載置面上を前後方向に往復動することによって載置部１０に載置されたメダルを押出すものである。本実施形態の押出部２０は、押出用モーター（不図示）の駆動によって載置面上を往復動する。
【００１７】
落下口３０は、押出部２０が往復動作を行なう前後方向における載置部１０よりも前側に設けられ、載置部１０の前端から落下したメダルを受け入れるためのものである。押出部２０によって押し出され載置面上を移動し落下口３０に落下したメダルは、落下メダル検出センサー（不図示）により検出される。制御部（不図示）は、落下メダル検出センサーからの検出信号に基づき、落下したメダル数をカウントする。カウントされたメダル枚数は、遊戯者の獲得したメダル枚数となる。落下したメダルは貯留部４０に貯留される。
【００１８】
貯留部４０は、落下口３０に落下したメダル等、複数のメダルを貯留するものである。本実施形態の貯留部４０は、搬送部５０に連結されており、この貯留部４０に貯留されたメダルは１枚ずつ搬送部５０へ送られる。
【００１９】
搬送部５０は、貯留部４０から送られてきたメダルを整列させて上下方向の上側に搬送するものである。本実施形態の搬送部５０は、貯留部４０に貯留されているメダルを貯留部４０よりも上方に位置するメダル射出機構６０に搬送する。
【００２０】
メダル射出機構６０は、遊戯者の操作に応じて搬送部５０から搬送されてきたメダルを、チャッカー７０に向けて射出させるための機構である。本実施形態では、遊戯者の操作に応じて、メダル射出機構６０が射出するメダルの射出方向を変更することができる。なお、メダル射出機構６０の具体的な構造については、追って詳述する。
【００２１】
チャッカー７０は、遊戯者がメダルゲームを行なう際に標的となるものである。本実施形態のチャッカー７０は、メダルを通過させる通過穴と、通過したメダルを検出する通過メダル検出センサー（不図示）を有している。本実施形態では、遊戯者の操作によりメダル射出機構６０から射出されたメダルがチャッカー７０を通過すると、通過メダル検出センサー（不図示）からの検出信号を制御部（不図示）が受信して抽選部８０による抽選ゲームを実行する。
【００２２】
抽選部８０は、ボール等を用いた物理抽選を行うためのユニットである。この抽選部８０は、抽選に用いられるボールを下方から上方に向けて搬送する搬送部（不図示）と、複数のピンが配置された盤面８１と、搬送されたボールを盤面８１の上方から下方に向けて放出する放出部８２と、放出されたボールが入る入賞口８３と、入賞口８３に入ったボールを検出するセンサー（不図示）等を有している。本実施形態における抽選ゲームでは、抽選部８０によってボールを用いた物理抽選が行われ、ボールが入賞口８３に入るとセンサーによって検出され、多数のメダルが供給部（不図示）から載置部１０に供給される。
【００２３】
音声出力部９０は、制御部（不図示）から出力された音楽、音声、効果音等の音声信号（音声情報）を、デジタルアンプ等で増幅して、音声出力するものである。この音声出力部９０は、例えば、スピーカー等によって実現される。
【００２４】
なお、この制御部（不図示）は、メダルゲーム装置１の全体的な制御を行うためのものであり、ＣＰＵ、メモリ及び記憶装置などから構成されている。記憶装置は、各種のデータやプログラムを記憶している。制御部は、記憶装置に記憶されているプログラムをＣＰＵがメモリに読み出して実行することによって、メダルゲーム装置１の他の構成部などを制御し、各種機能を実現する。
【００２５】
＜＜メダル射出機構６０の構成＞＞
図２は、本実施形態に係るメダル射出機構６０を示す図である。
以下の説明では、図２に示すように、図１において定義された各方向と一致させて、各方向を定義する。
【００２６】
メダル射出機構６０は、チャッカー７０等のターゲットに対してメダルを射出させるための機構である。遊戯者は、このメダル射出機構６０を利用することによって、狙いを定めた方向をメダルの射出方向に決定し、メダルを射出させることができる。
【００２７】
本実施形態におけるメダル射出機構６０は、図２に示すように、操作部６１と、射出部６２と、伝達部６３とを備えており、貯留部４０から搬送部５０へ送り出されたメダルを射出することができる。
【００２８】
なお、本実施形態におけるメダルゲーム装置１には、図１に示すように、２つのメダル射出装置６０が並べて配置されており、複数の遊戯者が同時にメダルゲームをプレイすることができるようになっている。
【００２９】
図３は、操作部６１の外観図である。図４は、操作部６１を上下方向下側から見た図である。
【００３０】
操作部６１は、遊戯者が、メダルの射出方向を選択したり、ターゲットを狙ったタイミングでメダルを発射させたりする際に用いられる。遊戯者が力を加えることによって操作部６１は動作し、その操作部６１の動作に応じてメダルの射出方向が変更される。
【００３１】
操作部６１は、図３に示すように、基台６１Ａ、操作台６１Ｂ、回転軸６１Ｃ、凸部６１Ｄ、把持部６１Ｅ、射出ボタン６１Ｆ等を備えている。
【００３２】
本実施形態における操作部６１では、図３及び図４に示すように、基台６１Ａがメダルゲーム装置本体に固定されており、操作台６１Ｂが基台６１Ａに対して回転軸６１Ｃ回りに回動可能に取り付けられている。回転軸６１Ｃの先端には、基台６１Ａを挟んで操作台６１Ｂの反対側に凸部６１Ｄが固着されている。この凸部６１Ｄは、その先端を前後方向の後側へ向かって突出させている。
【００３３】
操作台６１Ｂの上方には、把持部６１Ｅが固着され、把持部６１Ｅの左右方向両端には、射出ボタン６１Ｆが設けられている。そのため、この操作部６１は、右利きの遊戯者が操作する場合であっても、左利きの遊戯者が操作する場合であっても、共用することができる。
【００３４】
また、遊戯者によって射出ボタン６１Ｆが押下されると、検出センサー（不図示）がこれを検出する。そして、制御部（不図示）は、検出センサーからの検出信号に基づき、メダル射出機構６０を動作させて、メダルを射出させることができる。
【００３５】
このように、本実施形態における操作部６１は、遊戯者が把持部６１Ｅを握って操作すると、基台６１Ａに対して、操作台６１Ｂ、回転軸６１Ｃ、凸部６１Ｄ、把持部６１Ｅ、及び射出ボタン６１Ｆが一体となって動作することになる。
【００３６】
図５は、射出部６２の斜視図である。図６は、射出部６２を左右方向の右側から見たときの断面図である。図７は、射出部６２及び搬送部５０の一部を断面視した状態で示した斜視図である。
【００３７】
射出部６２は、複数のメダルを貯留する貯留部４０から搬送部５０へ次々と送り出されてきたメダルを受け取って射出するものである。
【００３８】
本実施形態における貯留部４０は、図２に示すように、メダルゲーム装置本体に固定された基台４１と、搬送部５０に連結され複数のメダルを収容する容器４２と、容器４２の底部に設けられた回転盤４３と、回転盤４３を回転させるモーター４４とを有している。
【００３９】
回転盤４３は、周方向にわたって複数設けられたメダル孔４３Ａを有している。モーター４４の駆動により回転盤４３が回転すると、容器４２内のメダルが１枚ずつメダル孔４３Ａを順次通過して搬送部５０に送り出される。
【００４０】
本実施形態における搬送部５０は、図２に示すように、貯留部４０から送り出されてきたメダルを射出部６２に案内する搬送レール５１を有している。搬送レール５１の下端部は、貯留部４０に固定された状態で連結されている。搬送レール５１の上端部には、射出部６２が搬送レール５１に対して前後方向の軸（不図示）を中心に揺動可能に連結されている。
【００４１】
搬送レール５１は、メダルの厚みよりも僅かに広いメダル通過空間を内部に有している。このメダル通過空間は、隣り合うメダルの外周面が互いに接した状態で、複数のメダルを整列させることができる。また、搬送レール５１は、メダル通過空間に整列しているメダルのメダル面に平行な搬送面を有している。
【００４２】
本実施形態における搬送部５０の先端には、図２に示すように、搬送レール５１に連通する発射レール５２が一体となって取り付けられている。発射レール５２は、前後方向の後側に向かって湾曲した形状になっており、射出部６２により射出されたメダルを案内する。これにより、メダルが発射レール５２に案内されることにより、メダルの移動方向は射出方向から発射方向に変換される。
【００４３】
本実施形態では、モーター４４の駆動により貯留部４０の回転盤４３が回転して容器４２内のメダルが送り出されると、搬送レール５１のメダル通過空間に整列しているメダルが押し上げられる。そして、押し上げられたメダルが射出部６２に到達すると、そのメダルが射出部６２によって射出されることになる。
【００４４】
射出部６２は、図５及び図６に示すように、一対の回転ローラー６２Ｂが前後方向の両側から搬送レール５１を挟み込むようにして取り付けられており、搬送部５０から次々と搬送されてきたメダルを１つずつ射出する。この射出部６２は、搬送レール５１に固着されておらず、搬送レール５１に対して揺動可能に支持されている。
【００４５】
本実施形態における射出部６２は、図５及び図６に示すように、支持部材６２Ａと、一対の回転ローラー６２Ｂと、回転中心軸６２Ｃと、回転モーター６２Ｄと、ベルト６２Ｅと、アーム部材６２Ｆと、ローラー６２Ｇ等を備えている。
【００４６】
支持部材６２Ａは、一対の回転ローラー６２Ｂをそれぞれの回転中心軸６２Ｃ回りに回転可能に支持している。具体的には、支持部材６２Ａは、回転中心軸６２Ｃ間の距離が各回転ローラー６２Ｂの半径の和よりも若干小さくなる位置に、各回転中心軸６２Ｃを取り付け支持している。このため、図６に示すように、一方の回転ローラー６２Ｂが搬送レール５１を挟んで他方の回転ローラー６２Ｂと反対側に配置され、一対の回転ローラー６２Ｂの外周面が互いに接した状態となる。
【００４７】
具体的には、図７に示すように、搬送レール５１は、搬送面５１Ａを貫通する孔部５１Ｂを有している。このため、一対の回転ローラー６２Ｂは、この孔部５１Ｂを前後方向の両側から挟み込むようにすることで、その外周面を互いに接触させることができる。
【００４８】
この搬送レール５１の左右方向における両端部には、図７に示すように、メダルＭの厚みよりも若干大きい厚みの案内部材５３がメダルＭの直径よりも若干大きい間隔をあけて固定されている。これにより、搬送レール５１の内部には、メダルＭが上昇移動するためのメダル通過空間５１Ｃ（図６参照）が形成される。なお、本実施形態においては、案内部材５３の左右間隔は、回転ローラー６２Ｂの上側の方が回転ローラー６２Ｂの下側よりも広くなるように形成されているが、これに限らず、案内部材５３が回転ローラー６２Ｂの上側まで延出しないように形成してもよい。
【００４９】
支持部材６２Ａには、図５に示すように、回転モーター６２Ｄが支持されている。２つの回転ローラー６２Ｂは、回転モーター６２Ｄ及びベルト６２Ｅを介して連結されており、回転モーター６２Ｄの駆動によって同一速度でかつ逆方向に回転し得るようになっている。
【００５０】
本実施形態では、図７に示すように、搬送部５０によって搬送されたメダルＭは、搬送面５１Ａに沿って上昇移動して行き、やがて孔部５１Ｂに差し掛かると、一対の回転ローラー６２Ｂによって前後方向の両側から挟み込まれ、一対の回転ローラー６２Ｂの回転によって発進力が強制的に付与され、発射レール５２から勢いよく発射される。
【００５１】
各回転ローラー６２Ｂの外周部は、ウレタン等の軟質ゴムで構成されている。したがって、メダルＭの厚みが変化した場合であっても、回転ローラー６２Ｂの外周部が弾性変形することによってその変化分を吸収することができるため、射出部６２はメダルを安定して射出することが可能となる。
【００５２】
支持部材６２Ａは、図７に示すように、複数の回転支持ローラー６２ａによって搬送レール５１に支持されている（図中では４つの回転支持ローラー６２ａが示されているが、実際には８つの回転支持ローラー６２ａによって支持されている。図６参照）。これらの回転支持ローラー６２ａが搬送レール５１に設けられたガイド（不図示）に沿って回転移動することにより、回転ローラー６２Ｂの中心を通り前後方向（回転ローラー６２Ｂの半径方向）に延びる仮想軸を中心として支点部材６２Ａが回動する。このため、支持部材６２Ａは、搬送レール５１に沿うメダルＭの上昇移動を妨げることなく、一対の回転ローラー６２Ｂの外周面がメダル面の中央を圧接できる姿勢を維持したままで回動することができる。
【００５３】
なお、支持部材６２Ａが搬送レール５１に対して前後方向に延びた回転軸を中心に揺動可能に連結されてもよい。また、支持部材６２Ａは搬送レール５１に対して揺動（搬送レール５１で搬送されるメダルの面に直交する軸の回転方向への揺動）可能とさえなっていればよいため、前後方向の軸は、搬送レール５１ではなく、操作部６１等、メダルゲーム装置１内の何れかの部品に連結されていればよい。
【００５４】
支持部材６２Ａの前後方向の前側には、上下方向の上側に延出するアーム部材６２Ｆが取り付けられている。アーム部材６２Ｆの先端には、ローラー６２Ｇが回転自在に取付けられている。本実施形態における射出部６２は、アーム６２Ｆ及びローラー６２Ｇを介して、伝達部６３から伝達される力を受けることができる。
【００５５】
このように、本実施形態における射出部６２は、伝達部６３から伝達される力を受けると、搬送レール５１に対して、支持部材６２Ａ、一対の回転ローラー６２Ｂ、回転中心軸６２Ｃ、回転モーター６２Ｄ、ベルト６２Ｅと、アーム部材６２Ｆと、ローラー６２Ｇが一体となって動作することになる。
【００５６】
図８は、伝達部６３の斜視図である。
伝達部６３は、図２に示すように、操作部６１と射出部６２との間に介在し、遊戯者によって操作部６１に加えられた力を射出部６２に伝えるためのものである。
【００５７】
本実施形態における伝達部６３は、図８に示すように、基台６３Ａと、摺動部材６３Ｂと、長孔６３Ｃと、ガイドピン６３Ｄと、円形プレート６３Ｅと、凹部６３Ｆと、ガイド部材６３Ｇ等を有している。
【００５８】
基台６３Ａは、メダルゲーム装置本体に固定されている。この基台６３Ａの上面には、摺動部材６３Ｂが覆い被さるようにして取り付けられている。摺動部材６３Ｂの上面には、左右方向に延びる長孔６３Ｃが形成されている。
【００５９】
摺動部材６３Ｂの長孔６３Ｃには、基台６３Ａから上方に突設された２つのガイドピン６３Ｄが貫通している。このため、摺動部材６３Ｂは、２つのガイドピン６３Ｄに案内され、長孔６３Ｃに沿って左右方向にスライド移動することができる。
【００６０】
各ガイドピン６３Ｄの先端には、円形プレート６３Ｅが取り付けられている。円形プレート６３Ｅの直径は、長孔６３Ｃの縦幅よりも大きい。そのため、摺動部材６３Ｂが、長孔６３Ｃに沿って左右方向にスライド移動する際に、基台６３Ａから外れないようになっている。
【００６１】
摺動部材６３Ｂは、前後方向の前側に凹部６３Ｆを有している。この凹部６３Ｆの左右方向の両側には、２つの壁部材６３ＦＲ、６３ＦＬが前後方向の前側に突出して設けられている。操作部６１を伝達部６３に取り付けられる際には、摺動部材６３Ｂの凹部６３Ｆに操作部６１の凸部６１Ｄが差し込まれる。つまり、操作部６１の凸部６１Ｄが、２つの壁部材６３ＦＲ、６３ＦＬの間に差し込まれる。
【００６２】
摺動部材６３Ｂは、前後方向の後側には、上下方向に起立したガイド部材６３Ｇを有している。ガイド部材６３Ｇには、射出部６２のアーム部材６２Ｆに設けられたローラー６２Ｇが遊嵌された状態で回転可能に取り付けられる。アーム部材６２Ｆのローラー６２Ｇは、ガイド部材６３Ｇに案内されて上下方向に転がりながら移動することができる。
【００６３】
本実施形態の伝達部６３においては、遊戯者によって操作部６１に加えられた力を、摺動部材６３Ｂの凹部６３Ｆを介して受け取り、摺動部材６３Ｂのガイド部材６３Ｇを介して射出部６２に伝達することができる。すなわち、伝達部６３が左右方向に沿って直線運動することによって、操作部６１の運動が射出部６２の運動に変換されることになる。
【００６４】
このように、本実施形態における伝達部６３は、遊戯者によって操作部６１に加えられた力を受け取ると、基台６３Ａに対して、摺動部材６３Ｂ、長孔６３Ｃ、凹部６３Ｆ、ガイド部材６３Ｇが一体となって動作することになる。
【００６５】
＜＜メダル射出機構６０の動作＞＞
図９は、射出部６２が搬送レール５１に対して傾動する前の状態を示す図である。図１０は、射出部６２が搬送レール５１に対して傾動した後の状態を示す図である。
以下の説明では、図９及び図１０に示すように、図１において定義された各方向と一致させて、各方向を定義する。
【００６６】
遊戯者が把持部６１Ｅを握って操作部６１を操作する際に、操作部６１に力が加えられる。操作部６１に対して力が加わると、把持部６１Ｅは基台６１Ａを介して回転軸６１Ｃによって軸支されているため、操作部６１は回転軸６１Ｃ回りに回転する。
【００６７】
この際、回転軸６１Ｃの先端には凸部６１Ｄが固着されているため（図３参照）、把持部６１Ｅが回転軸６１Ｃ回りに回転すると、凸部６１Ｄも把持部６１Ｅと一体となって回転軸６１Ｃ回りに回転する。
【００６８】
ここで、操作部６１の凸部６１Ｄは、その先端が前後方向の後側へ向かって突出している（図３参照）。一方で、伝達部６３の摺動部材６３Ｂは、２つの壁部材６３ＦＲ、６３ＦＬが前後方向の前側に突出して設けられた凹部６３Ｆを有している（図８参照）。そして、操作部６１の凸部６１Ｄは、摺動部材６３Ｂの凹部６３Ｆに対向して位置し、摺動部材６３Ｂの凹部６３Ｆに設けられた２つの壁部材６３ＦＲ、６３ＦＬの間に差し込まれている。
【００６９】
このため、把持部６１Ｅが凸部６１Ｄと一体となって回転軸６１Ｃ回りに回転すると、凸部６１Ｄの先端から凹部６３Ｆの壁部材６３ＦＲ、６３ＦＬに力が伝えられて、摺動部材６３Ｂが基台６３Ａに対してスライド移動する。
【００７０】
具体的には、遊戯者の操作によって、操作部６１の把持部６１Ｅが上下方向の上側から見て時計回りに回転すると、これと一緒に操作部６１の凸部６１Ｄも時計回りに回転する。そして、操作部６１の凸部６１Ｄが時計回りに回転すると、凸部６１Ｄの先端が摺動部材６３Ｂの凹部６３Ｆに設けられた右側の壁部材６３ＦＲを押圧する。そうすると、摺動部材６３Ｂは、長孔６３Ｃ及びガイドピン６３Ｄに案内されて、左右方向の右側へスライド移動することになる。それとは逆に、操作部６１の凸部６１Ｄが上下方向の上側から見て反時計回りに回転すると、凸部６１Ｄの先端が摺動部材６３Ｂの凹部６３Ｆに設けられた左側の壁部材６３ＦＬを押圧し、摺動部材６３Ｂが左右方向の左側へスライド移動することになる。
【００７１】
ここで、伝達部６３の摺動部材６３Ｂは、上下方向に起立したガイド部材６３Ｇを前後方向の後側に設けている（図８参照）。一方で、射出部６２の支持部材６２Ａは、先端にローラー６２Ｇを有するアーム部材６２Ｆを前後方向の前側に設けている（図５参照）。そして、摺動部材６３Ｂのガイド部材６３Ｇは、アーム部材６２Ｆのローラー６２Ｇに対向して位置し、ローラー６２Ｇを回転可能に遊嵌させている（図２参照）。
【００７２】
このため、伝達部６３の摺動部材６３Ｂが左右方向にスライド移動すると、伝達部６３のガイド部材６３Ｇも摺動部材６３Ｂと一体となって左右方向にスライド移動する。これにより、ガイド部材６３Ｇからローラー６２Ｇ及びアーム部材６２Ｆに力が伝えられて、射出部６２が搬送レール５１に対して揺動する。
【００７３】
具体的には、摺動部材６３Ｂが、長孔６３Ｃ及びガイドピン６３Ｄに案内されて、左右方向の右側へスライド移動すると、これと一緒にガイド部材６３Ｇも左右方向の右側へスライド移動する。そして、摺動部材６３Ｂのガイド部材６３Ｇが左右方向の右側へスライド移動すると、アーム部材６２Ｆの先端にあるローラー６２Ｇが左右方向の右側へ引っ張られる。この際、射出部６２は搬送レール５１に対して揺動可能に支持されているため、ローラー６２Ｇは、左右に移動するガイド部材６３Ｇの内側を上下方向に移動しながら円周方向に移動する。そうすると、図１０に示すように、回転ローラー６２Ｂの外周面がメダル面の中央を圧接できる姿勢を維持した状態のままで射出部６２が搬送レール５１に対して右側へ傾動する。これによって、支持部材６２Ａが回転ローラー６２Ｂ及び回転中心軸６２Ｃと共に右側に傾き、射出部６２から射出されるメダルの射出方向が変更される。それとは逆に、摺動部材６３Ｂのガイド部材６３Ｇが左右方向の左側へスライド移動すると、アーム部材６２Ｆの先端にあるローラー６２Ｇが左右方向の左側へ引っ張られ、射出部６２が搬送レール５１に対して左側へ傾動する。
【００７４】
このようにして、遊戯者が操作部６１を操作すると、伝達部６３が左右方向に沿って直線運動することによって、操作部６１の回転運動を射出部６２の回転運動に変換することができる。
【００７５】
すなわち、図９に示すように、射出部６２が搬送レール５１に対して傾動する前の状態においては、射出部６２によって射出されるメダルの射出方向（図中の矢印Ａ）は、搬送レール５１に搬送されるメダルの搬送方向（図中の矢印Ｂ）と一致している。
【００７６】
そして、この状態において遊戯者によって操作部６１に力が加えられると、その力が伝達部６３を介して射出部６２に伝えられ、射出部６２が搬送レール５１に対して傾いた状態に変化する。そうすると、図１０に示すように、射出部６２に射出されるメダルの射出方向（図中の矢印Ａ）は、搬送レール５１によって搬送されるメダルの搬送方向（図中の矢印Ｂ）と異なる方向、つまり、その搬送方向と交差する交差方向に変更される。
【００７７】
以上のとおり、本実施形態に係るメダルゲーム装置１によれば、遊戯者が操作部６１を操作して射出部６２から射出されるメダルの射出方向を変更しようするときに、貯留部４０、搬送部５０、射出部６２、及び操作部６１のすべてを一体として動作させる必要がなく、射出部６２を搬送部５０（搬送レール５１）に対して動作させればよい。このため、遊戯者にとっては、射出方向変更時の操作が軽くなり、メダルを射出させるタイミングを逸してしまうことを抑止することができる。したがって、メダルの射出方向を変更する際の操作性を向上させることが可能となる。
【００７８】
＝＝＝その他の実施形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物も含まれる。特に、以下に述べる実施形態であっても、本発明に含まれるものである。
【００７９】
＜操作部６１について＞
上記の本実施形態では、操作部６１の動作として、操作部６１が回転軸６１Ｃ回りに回転する場合を例に挙げて説明したが、本発明はこれに限定されるものではない。例えば、把持部６１Ｅが基台６１Ａに対して左右方向にスライド移動するようにしてもよい。
また、上記の本実施形態において、操作部６１が上述した回転動作に加えて他の動作も併せて行なうように構成し、操作部６１に他の機能を付加してもよい。例えば、把持部６１Ｅは、左右方向に伸びた回転軸（不図示）回りに回動可能に構成してもよい。このとき、把持部６１Ｅの回動を検出するセンサー（不図示）を設けることで、制御部において、射出ボタン６１Ｆの押下が検出されるたびに１枚ずつメダルを射出し、把持部６１Ｅの回動が検出されると、メダルを連続的に複数枚射出するように制御してもよい。また、把持部６１Ｅの回動を検出するセンサーを、回転量を検出するセンサーを用いることで、回動前の位置からの回動量に応じた速度（間隔）でメダルを連続的に射出するようにしてもよい。
【００８０】
＜射出部６２について＞
上記の本実施形態では、射出部６２がメダルを射出するための構成として、２つの回転ローラー６２Ｂの間にメダルを挟み込み、そのメダルに対して２つの回転ローラー６２Ｂの回転によって発進力を強制的に付与し、メダルを射出する構成を例に挙げて説明したが、本発明はこれに限定されるものではない。
例えば、２つの回転ローラーではなく、１つの回転ローラーのみを用いてメダルを射出させるようにしてもよい。具体的には、回転ローラー６２Ｂの外周面と搬送レール５１の搬送面５１Ａとの間にメダルを挟み込み、回転ローラー６２Ｂの回転力を利用してメダルを射出する。この場合においては、搬送レール５１に搬送面５１Ａを貫通する孔部５１Ｂを設ける必要はない。
【００８１】
また、上記の本実施形態では、射出部６２の動作として、射出部６２が搬送レールに対して回転動作を行なう場合を例に挙げて説明したが、本発明はこれに限定されるものではない。例えば、射出部６２が搬送レールに対して左右方向にスライド移動するようにしてもよい。この場合、射出部６２をガイド部材６３Ｇと直結にする等して伝達部６３の摺動部材６３Ｂと同じ方向に移動するようにすればよい。これにより、メダル面の中央から左右方向にずれた部位に回転ローラー６２Ｂの外周面を圧接させることができるようになるため、メダルに回転力を加えることができるようになる。
【００８２】
＜伝達部６３について＞
上記の本実施形態では、伝達部６３が操作部６１に加えられた力を射出部６２に伝える際に、伝達部６３が左右方向にスライド移動することによって伝達する構成を例に挙げて説明したが、本発明はこれに限定されるものではなく、操作部６１に加えられた力を射出部６２に伝えるための部材であればよい。例えば、上下方向のスライド移動であってもよいし、射出部６２と同様に回動させてもよい。また、伝達部６３がスライド移動以外の動作を行なってもよい。
【符号の説明】
【００８３】
１  メダルゲーム装置、  １０  載置部、
２０  押出部、  ３０  落下口、
４０  貯留部、  ４１  基台、
４２  容器、  ４３  回転盤、
４３Ａ  メダル孔、  ４４  モーター、
５０  搬送部、  ５１  搬送レール、
５１Ａ  搬送面、  ５１Ｂ  孔部、
５１Ｃ  メダル通過空間、  ５２  発射レール、
５３  案内部材、  ６０  メダル射出機構、
６１  操作部、  ６１Ａ  基台、
６１Ｂ  操作台、  ６１Ｃ  回転軸、
６１Ｄ  凸部、  ６１Ｅ  把持部、
６１Ｆ  射出ボタン、  ６２  射出部、
６２ａ  回転支持ローラー、  ６２Ａ  支持部材、
６２Ｂ  回転ローラー、  ６２Ｃ  回転中心軸、
６２Ｄ  モーター、  ６２Ｅ  ベルト、
６２Ｆ  アーム部材、  ６２Ｇ  ローラー、
６３  伝達部、  ６３Ａ  基台、
６３Ｂ  摺動部材、  ６３Ｃ  長孔、
６３Ｄ  ガイドピン、  ６３Ｅ  円形プレート、
６３Ｆ  凹部、  ６３ＦＲ  壁部材、
６３ＦＬ  壁部材、  ６３Ｇ  ガイド部材、
７０  チャッカー、  ８０  抽選部、
９０  音声出力部、  Ｍ  メダル
【図１】
2014151134.tif 000003
【図２】
2014151134.tif 000004
【図３】
2014151134.tif 000005
【図４】
2014151134.tif 000006
【図５】
2014151134.tif 000007
【図６】
2014151134.tif 000008
【図７】
2014151134.tif 000009
【図８】
2014151134.tif 000010
【図９】
2014151134.tif 000011
【図１０】
2014151134.tif 000012